【手続補正書】
【提出日】平成20年4月18日(2008.4.18)
【手続補正１】
【補正対象書類名】明細書
【補正対象項目名】０００１
【補正方法】変更
【補正の内容】
【０００１】
この発明は、白黒用及びカラー用のコピー機や印刷装置等から出力される記録紙をパンチ処理やバインド処理等をする装置に適用して好適な用紙処理装置に関するものである。詳しくは、複数枚用紙の表面と裏面から穿孔された孔の一部分を覆う位置にガイド部材を当てて複数枚用紙を挟み、複数枚用紙を挟んだガイド部材に綴じ部品の両先端部を接触させながら複数枚用紙に綴じ部品を綴じることにより、綴じ部品の両先端部と穿孔された孔の縁との間隔を略一定に保ちながら穿孔された孔に綴じ部品の両先端部を挿入できるようにすると共に、異なる径の綴じ部品の場合に、綴じ部品と穿孔された孔の縁との間隔を略一定に保つことができるようにしたものである。
【手続補正２】
【補正対象書類名】明細書
【補正対象項目名】０００７
【補正方法】変更
【補正の内容】
【０００７】
しかしながら、従来方式の用紙処理装置によれば、例えば、特許文献１に見られるような綴じ装置は、バインダの位置を昇降式ストッパー部によって一定の位置に固定し、かつ、ルーズリーフの孔にバインダの両先端部を直接挿入しており、バインダのサイズが変わった時に、バインダがルーズリーフ用紙の孔からはみ出し、ルーズリーフ用紙にバインダが接触するおそれがある。
【手続補正３】
【補正対象書類名】明細書
【補正対象項目名】０００８
【補正方法】変更
【補正の内容】
【０００８】
また、特許文献２に見られるようなバインド処理装置についても同じように、バインダの背骨部の位置を一定に固定し、かつ、ルーズリーフの孔にバインダの両先端部を直接挿入しており、バインダのサイズが変わった時にバインダがルーズリーフ用紙の孔からはみ出し、ルーズリーフ用紙にバインダが接触するおそれがある。
【手続補正４】
【補正対象書類名】明細書
【補正対象項目名】００１１
【補正方法】変更
【補正の内容】
【００１１】
本発明に係る用紙処理装置によれば、複数の各々の用紙の所定位置に穿孔された孔を綴じ部品で綴じて冊子を作成する場合に、ガイド挟み手段は、押え手段により押えられた複数枚用紙の表面と裏面から用紙の孔の一部分を覆う位置に当てるためのガイド部材を有して複数枚用紙を挟む。綴じ手段は、複数枚用紙を挟んだガイド挟み手段のガイド部材に綴じ部品の両先端部を接触させながら複数枚用紙に綴じ部品を綴じる。この構成によって、綴じ部品の両先端部と穿孔された孔の縁との間隔を略一定に保ちながら、穿孔された孔に綴じ部品の両先端部を挿入することができる。従って、異なる径の綴じ部品の場合に、綴じ部品と穿孔された孔の縁との間隔を略一定に保つことができる。
【手続補正５】
【補正対象書類名】明細書
【補正対象項目名】００１３
【補正方法】変更
【補正の内容】
【００１３】
この構成によって、綴じ部品の両先端部と穿孔された孔との間隔を略一定に保ちながら、穿孔された孔に綴じ部品の両先端部を挿入することができる。従って、異なる径の綴じ部品の場合に、綴じ部品と穿孔された孔の縁との間隔を略一定に保つことができる。これにより、当該装置部品の製造及び組み合わせによる集積公差に左右されることなく、単純な部品構成で精度の高い綴じ処理を実現できる。
【手続補正６】
【補正対象書類名】明細書
【補正対象項目名】００２０
【補正方法】変更
【補正の内容】
【００２０】
また、搬送路１１と搬送路１２との切換え点には、３連の搬送ローラ１７ｃ，１９ａ’，１９ａが設けられる。搬送ローラ１７ｃ及び１９ａは時計方向回りに回転し、搬送ローラ１９ａ’は反時計方向回りに回転する。例えば、搬送ローラ１９ａ’が駆動ローラで搬送ローラ１７ｃ及び１９ａが従動ローラとなっている。搬送ローラ１７ｃ及び１９ａ’により取り込まれた用紙３は、減速及び停止するが、フラップ１５で上方から下方に規制されると、搬送ローラ１９ａ’及び１９ａにより給紙されて搬送路１２に搬送される。３連の搬送ローラ１７ｃ，１９ａ’，１９ａの手前には用紙検知センサ１１４が配設され、用紙の前端及び後端を検知して用紙検知信号を制御部５０へ出力するようになされる。
【手続補正７】
【補正対象書類名】明細書
【補正対象項目名】００２５
【補正方法】変更
【補正の内容】
【００２５】
パンチ処理部２０の下流側には、バインダ紙揃えユニット３０が配置され、パンチ処理部２０から排紙される複数枚の用紙３’の孔の位置を揃えて一時保留（蓄積）するようになされる。バインダ紙揃えユニット３０は、搬送路１１の搬送面を基準にして第２の俯角θ２を有する位置に用紙保留面を設定するように配置される。ここに用紙保留面とは、孔が穿孔された用紙３’を保留（積層）する面をいう。この例では、俯角θ１と俯角θ２との関係がθ１＜θ２に設定される。この設定は装置本体部１０１の幅を縮小化するため、及び、この条件下で用紙３を直線的に搬送するためである。
【手続補正８】
【補正対象書類名】明細書
【補正対象項目名】００２８
【補正方法】変更
【補正の内容】
【００２８】
この例で、バインド処理部４０は、用紙３’のパンチ孔に綴じ部品４３の両先端部を挿入する移動機構４１を有している。移動機構４１は綴じ手段の一例を構成し、複数枚用紙に綴じ部品４３を綴じるものである。例えば、バインダ紙揃えユニット３０の用紙搬送方向と、上述した搬送路１１の搬送方向と直交する位置との間を往復回転するように移動する。バインド処理部４０は、バインダ（綴じ部品）カセット４２を有している。バインダカセット４２には、複数個の綴じ部品４３がセットされる。綴じ部品４３は、例えば、射出金型成形され、用紙束の厚みに応じた複数種類が準備される。
【手続補正９】
【補正対象書類名】明細書
【補正対象項目名】００３６
【補正方法】変更
【補正の内容】
【００３６】
図３は、綴じ部品取得時のバインド処理部４０及び紙揃えユニット３０の構成例を示す概略図である。図３に示すバインド処理部４０は、バインダカセット４２及び移動機構４１を備える。バインダカセット４２は、綴じ部品４３（図示しない）が積層されて格納されている。移動機構４１は、開口部４１ｃを有し、バインダカセット４２に積層された綴じ部品４３を１回に付き開口部４１ｃを介して１個ずつ取得する。取得後、移動機構４１は、図４に示すように、移動機構回転軸４１ｄを軸にして反時計回りへ回動し、紙揃えユニット３０の側へ移動する。紙揃えユニット３０は、穿孔された複数枚の用紙が蓄積されている。
【手続補正１０】
【補正対象書類名】明細書
【補正対象項目名】００４４
【補正方法】変更
【補正の内容】
【００４４】
この例で、ソレノイド３０１の往復運動を左右のリンク機構３０５ａ，３０５ｂに伝達するようになされる。リンク機構３０５ａにはガイドフレーム３０３ａが取り付けられ、リンク機構３０５ｂにはガイドフレーム３０３ｂが取り付けられる。各々のガイドフレーム３０３ａ，３０３ｂは、用紙３’の紙面の上方向に突出するＲ曲面（Ｒ）形状を有しており、用紙保留部３２に用紙３’をガイドするようになされる。上述のソレノイド３０１は、左右のリンク機構３０５ａ，３０５ｂを介してガイドフレーム３０３ａ，３０３ｂを駆動して押え部材３０４ａ，３０４ｂを作動するようになされる。
【手続補正１１】
【補正対象書類名】明細書
【補正対象項目名】００４９
【補正方法】変更
【補正の内容】
【００４９】
クランプ移動機構８０は、本体基板８１、クランプ部材８２ａ，８２ｂ、シャッター８３、クシ型の押え部材８４ａ，８４ｂ、整列ピン８５ａ，８５ｂ、モータ８６、カム８７、ギヤユニット８８及び綴じ部品ガイド部材９９ａ，９９ｂを有して構成される。クランプ移動機構８０は、ガイド挟み手段の一例を構成し、用紙ガイド押え機構３１により押えられた用紙束３”の表面と裏面から用紙３’のパンチ孔の一部分を覆う位置に当てるための綴じ部品ガイド部材９９ａ，９９ｂを有して用紙束３”を挟む。図１に示した移動機構４１は、用紙束３”を挟んだクランプ移動機構８０の綴じ部品ガイド部材９９ａ，９９ｂに綴じ部品４３の両先端部を接触させながら用紙束３”に綴じ部品４３を綴じる。
【手続補正１２】
【補正対象書類名】明細書
【補正対象項目名】００５３
【補正方法】変更
【補正の内容】
【００５３】
規制孔付き部材８０２は、第１の連接棒８０３及び第２の連接棒８０４の移動を規制するクランプ開閉規制用の細長い開口部８０６を有している。開口部８０６には、当該連接棒８０３，８０４の端部を露出するように組み立てられる。
【手続補正１３】
【補正対象書類名】明細書
【補正対象項目名】００５８
【補正方法】変更
【補正の内容】
【００５８】
また、この２つの凹部を有した綴じ部品ガイド部材９９ａ，９９ｂがパンチ孔の一部分を覆う範囲は、厚さが最大となる用紙束３”に最大径の綴じ部品４３を綴じることを条件として決定される。この最も綴じ処理が困難な条件で、綴じ部品４３を綴じ部品ガイド部材９９ａ，９９ｂに接触させながらパンチ孔に綴じることが可能であれば、用紙束３”の厚さ及び綴じ部品４３の径の大きさに係らず、綴じ部品４３をパンチ孔に綴じることができるようになる。
【手続補正１４】
【補正対象書類名】明細書
【補正対象項目名】００６２
【補正方法】変更
【補正の内容】
【００６２】
モータ８６は、左側面部位の内側に設けられたモータ取り付け領域に取り付けられる。モータ８６はギヤユニット８８に係合され、モータ回転数を所定の歯車比により変換し、モータ回転力をカム８７ａ及び８７ｂに伝達するようになされる。ギヤユニット８８には、一方のカム８７ｂが取り付けられている。カム８７ｂはカム連動部材８０９を介して他方のカム８７ａに取り付けられている。上述した可動部材８０１ａ又は８０１ｂにはカム作用部位が備えられている。各々のクランプ部材８２ａ及び８２ｂにおいて、可動部材８０１ａ又は８０１ｂのカム作用部位にカム８７ａ，８７ｂが押圧することで、各々のクランプ部材８２ａ及び８２ｂの挟み状部材８０１を同期して開閉するようになされる。
【手続補正１５】
【補正対象書類名】明細書
【補正対象項目名】００６６
【補正方法】変更
【補正の内容】
【００６６】
図８に示す制御部５０にはソレノイド駆動部３５、モータ駆動部３６、排出ローラ駆動部１２２及びモータ駆動部１８０乃至１８３が接続されている。
【手続補正１６】
【補正対象書類名】明細書
【補正対象項目名】００６９
【補正方法】変更
【補正の内容】
【００６９】
制御部５０は、少なくとも、ソレノイド駆動部３５の出力を制御して回動可能ガイド部３４ａ，３４ｂを時分割に駆動する。例えば、制御部５０は、パンチ処理後の用紙３’を排紙する際に排出ローラ駆動部１２２に排紙制御信号Ｓ２２を出力する。排出ローラ駆動部１２２は、排紙制御信号Ｓ２２に基づいて排出ローラ回転用モータ２５ａを駆動し、パンチ処理後の用紙３’を下方に排紙するようになされる。
【手続補正１７】
【補正対象書類名】明細書
【補正対象項目名】００７０
【補正方法】変更
【補正の内容】
【００７０】
制御部５０は、排出ローラ回転用モータ２５ａを駆動する間又はその駆動毎に、ソレノイド駆動部３５にソレノイド制御信号Ｓ３５を出力する。ソレノイド駆動部３５は、ソレノイド制御信号Ｓ３５に基づいて、ソレノイド３０１を駆動し、押え部材３０４ａ，３０４ｂによる押え込み機能を開放するようになされる。また、ソレノイド駆動部３５は、紙進入時、ソレノイド制御信号Ｓ３５に基づいて、ソレノイド３０１を駆動し、押え部材３０４ａ，３０４ｂによる押え込み機能を実行するようになる。これにより、用紙ガイド押え機構３１を制御できるようになる。
【手続補正１８】
【補正対象書類名】明細書
【補正対象項目名】００７３
【補正方法】変更
【補正の内容】
【００７３】
モータ駆動部１８１は、制御部５０から移動制御信号Ｓ８１を入力してクランプ部材移動用モータ８６を駆動し、図６に示したクランプ部材８２ａ，８２ｂを駆動制御するようになされる。モータ駆動部１８２は、制御部５０から移動制御信号Ｓ８２を入力してピン部材移動用のモータ８９を駆動するようになされる。モータ駆動部１８３は制御部５０に接続され、制御部５０から移動制御信号Ｓ８３を入力してサイドジョーガー用モータ７４ａ，７４ｂを駆動するようになされる。
【手続補正１９】
【補正対象書類名】明細書
【補正対象項目名】００７９
【補正方法】変更
【補正の内容】
【００７９】
このとき、カム８７ａ（図示しない）、８７ｂは、第１の位置（ホームポジション）で所定の姿勢を取る。例えば、カム８７ａ，８７ｂの突起部が直上を向いている状態である。なお、図中のモータ８９は、整列ピン駆動用のモータである。モータ８９と整列ピン８５ａ（図示しない）、８５ｂとは図示しないリンク機構により係合されている。リンク機構は、モータ８９の回転運動を往復運動に変換するように機能する。
【手続補正２０】
【補正対象書類名】明細書
【補正対象項目名】００８２
【補正方法】変更
【補正の内容】
【００８２】
このとき、各々のクランプ部材８２ａ（図示しない）及び８２ｂにおいて、可動部材８０１ａ及び８０１ｂのカム作用部位にカム８７ａ及び８７ｂの突起部が押圧されることで、各々のクランプ部材８２ａ及び８２ｂの挟み状部材８０１を同期して開放するようになされる。
【手続補正２１】
【補正対象書類名】明細書
【補正対象項目名】００８３
【補正方法】変更
【補正の内容】
【００８３】
挟み状部材８０１では、支点軸部材８０５を可動基準にして可動部材８０１ａと可動部材８０１ｂとが開くように動作する。可動部材８０１ａ，８０１ｂは、規制孔付き部材８０２の細長い開口部８０６によって、移動が制限され、挟み状部材８０１のクランプ開放幅が規制される。駆動力は、可動部材８０１ａに可動自在に取り付けられた連接棒８０３と、可動部材８０１ｂに可動自在に取り付けられた連接棒８０４とに伝達される。
【手続補正２２】
【補正対象書類名】明細書
【補正対象項目名】００８７
【補正方法】変更
【補正の内容】
【００８７】
図１１はクランプ移動機構８０における用紙束整列時の動作例（その３）を示す正面図である。この例では、図１０で示したように、シャッター８３が閉鎖され、用紙束３”が用紙保留部３２に蓄積され、規定枚数の用紙束３”をクランプ部材８２ａ（図示しない），８２ｂで自由解放し、整列ピン８５ｂを用紙束３”のパンチ孔に勘合している場合を前提とする。
【手続補正２３】
【補正対象書類名】明細書
【補正対象項目名】００９０
【補正方法】変更
【補正の内容】
【００９０】
このとき、各々のクランプ部材８２ａ及び８２ｂにおいて、可動部材８０１ａ又は８０１ｂのカム作用部位にカム８７ａ及び８７ｂの突起部が非押圧状態となされることで、可動部材８０１ａと８０１ｂを繋ぐ図示しないバネにより、各々のクランプ部材８２ａ及び８２ｂの挟み状部材８０１を同期して閉鎖するようになされる。
【手続補正２４】
【補正対象書類名】明細書
【補正対象項目名】００９３
【補正方法】変更
【補正の内容】
【００９３】
図１２はクランプ移動機構８０における用紙束整列時の動作例（その４）を示す正面図である。この例では、図１１で示したように、シャッター８３が閉鎖され、用紙束３”が用紙保留部３２に蓄積され、規定枚数の用紙束３”に整列ピン８５ｂを用紙束３”のパンチ孔に挿入し、クランプ部材８２ａ（図示しない），８２ｂで保持固定している場合を前提とする。
【手続補正２５】
【補正対象書類名】明細書
【補正対象項目名】００９８
【補正方法】変更
【補正の内容】
【００９８】
図１３（ａ）に示すクランプ移動機構８０にはクランプ位置決め用の開口部８１３が備えられる。開口部８１３は、瓶断面形状を有している。この開口部８１３で瓶の首部に相当する部分に連接棒８０４が落ち込むことで、クランプ位置が決められるようになっている。
【手続補正２６】
【補正対象書類名】明細書
【補正対象項目名】０１３０
【補正方法】変更
【補正の内容】
【０１３０】
図２３（ｄ）に示す綴じ爪４１ｋは、綴じ部品４３が大径の場合、綴じ爪４１ｋの両先端の間隔を広くして綴じ部品４３を待機し、綴じ部品４３が小径の場合、綴じ爪４１ｋの両先端の間隔を狭くして綴じ部品４３を待機する。綴じ部品掴み部４１ｂは、待機した綴じ爪４１ｋの両先端に綴じ部品４３の円弧部を接触させ、かつ、綴じ爪４１ｋの両先端が綴じ部品４３の両先端近傍になる位置に、綴じ部品４３を固定する。綴じ爪４１ｋは、図２４（ａ）に示す用紙束３”のパンチ孔に綴じ部品掴み部４１ｂにより固定された綴じ部品４３の両先端部を挿入する。
【手続補正２７】
【補正対象書類名】図面
【補正対象項目名】図８
【補正方法】変更
【補正の内容】
【図８】
2007076193.tif 000001
【手続補正２８】
【補正対象書類名】図面
【補正対象項目名】図１９
【補正方法】変更
【補正の内容】
【図１９】
2007076193.tif 000002
【手続補正２９】
【補正対象書類名】図面
【補正対象項目名】図２０
【補正方法】変更
【補正の内容】
【図２０】
2007076193.tif 000003